(57)【要約】【課題】ライン状に延在する導光体内へどちらの端から供給した光に対しても、出射側面から適切な出射角で有効に出射できるようにしたライン照明装置を提供する。【解決手段】ライン状に延在する導光体２の両端に光源３，４が取り付けられる。導光体２の正面側及び背面側は出射側面部２１及び反射側面部２２となる。第１凹部１０及び第２凹部１１が、反射側面部２２の光源３側及び光源４側の各半部に形成されている。第１凹部１０のＰ面１４は、光源３の方から来た光に対して、出射側面部２１から３０°未満の出射角で出射するように、反射向きを規定される。第２凹部１１のＰ面１４は、光源４の方から来た光に対して第１側面部から３０°未満の出射角で出射するように、反射向きが規定される。【選択図】図１
2014026744.tif 000002
【特許請求の範囲】
【請求項１】
ライン状に延在する導光体と、
前記導光体の各端側から前記導光体内へ光を供給する第１及び第２光源とを備え、
前記導光体は、延在方向に対して直角方向に相互に対向する第１及び第２側面部を有し、
前記第２側面部には、内方へくぼむ凹部又は外方へ突出する凸部が分布して形成されており、
前記凹部又は前記凸部は、前記第１光源側の端からの入射光に対して前記第１側面部から所定の閾値未満の出射角で出射する反射面を有する第１群の凹部又は凸部と、前記第２光源側の端からの入射光に対して前記第１側面部から前記閾値未満の出射角で出射する反射面を有する第２群の凹部又は凸部とに群分けされ、
第２側面部は第１及び第２領域に区分けされ、
該第１領域には前記第１群の凹部又は凸部が分布し、該第２領域には前記第２群の凹部又は凸部が分布していることを特徴とするライン照明装置。
【請求項２】
請求項１記載のライン照明装置において、
前記第１及び前記第２領域は、前記延在方向にそれぞれ前記導光体の前記第１及び前記第２光源側に配置されていることを特徴とするライン照明装置。
【請求項３】
請求項１のライン照明装置において、
前記第１及び前記第２領域は、前記導光体の幅方向の一方の側及び他方の側に配置されていることを特徴とするライン照明装置。
【請求項４】
請求項１記載のライン照明装置において、
前記第１及び前記第２群の凹部又は凸部の分布領域は、前記導光体の延在方向に交互に配置されていることを特徴とするライン照明装置。
【請求項５】
請求項１〜４のいずれか１項に記載のライン照明装置において、
前記第１群の凹部又は凸部は、前記第２光源側の端から前記導光体内を全反射により進行してくる入射光に対して前記第１側面部において前記第１光源の方へ全反射するように、反射させる別の反射面を有し、
前記第２群の凹部又は凸部は、前記第１光源側の端から前記導光体内を全反射により進行してくる入射光に対して前記第１側面部において前記第２光源の方へ全反射するように、反射させる別の反射面を有することを特徴とするライン照明装置。
【発明の詳細な説明】
【技術分野】
【０００１】
本発明は、ライン状の導光体から光を出射するライン照明装置に関する。
【背景技術】
【０００２】
導光体を利用したライン照明装置は、ガラス管型の照明装置に比して、小型化、耐久性及び節電等の点において有利であるとともに、種々の線形状のものを容易に製作できる利点がある。
【０００３】
特許文献１は、リング状導光部と、該リング状導光部の各端側からリング状導光部内へ光を供給する２つの光源とを備えるライン照明装置を開示する。該ライン照明装置では、リング状導光部において中心軸線方向の一方及び他方の側面がそれぞれ出射側面及び反射側面とされ、反射側面には白色線や金属層から成る反射層や三角形断面の山部が形成される（特許文献１：段落００２１）。該ライン照明装置では、リング状導光部内を延在方向に進行して来た光は、リング状導光部の反射側面の反射層や山部に反射して、リング状導光部の出射側面より出射するようになっている。
【０００４】
特許文献２は、矩形状の導光板の一方の面側に角錐形の凹部又は凸部を形成して、導光板の一辺の中心付近の光源から対辺側の方へ導光板内に光を供給する平面型照明装置を開示する。該平面型照明装置では、導光板内へ一辺側から供給された光は、対辺側の方へ進行する際に、一方の面側に形成されている凹部又は凸部に反射して、他方の面側から出射するようになっている。
【先行技術文献】
【特許文献】
【０００５】
【特許文献１】特開２００３−２９７１０８号公報
【特許文献２】特開２００９−２３１０４５号公報
【発明の概要】
【発明が解決しようとする課題】
【０００６】
特許文献１において、三角形断面の山部を採用したライン照明装置では、各山部は、三面の内、一面が向いている一方の方向からの光に対しては、適切な角度で出射面の方に反射できるものの、逆方向としての他方向からの光に対しては、不適切な角度で反射してしまい、導光体を有効に発光することができない。
【０００７】
特許文献２の矩形状の導光板内の凹部又は凸部は、一方向からの光のみに対応しており、逆方向としての他方向からの光を出射面から出射することについては意図していない。したがって、もし該導光板に他方向から光を導入した場合には、導光板内の凹部又は凸部に当たった他方向から光は該凹部又は凸部において不適切な方向に反射されてしまい、該他方向からの光に対して導光板を有効に発光することができない。
【０００８】
本発明の目的は、ライン状に延在する導光体内へどちらの端から供給した光に対しても、導光体を有効に発光できるようにしたライン照明装置を提供することである。
【課題を解決するための手段】
【０００９】
第１発明のライン照明装置は、ライン状に延在する導光体と、前記導光体の各端側から前記導光体内へ光を供給する第１及び第２光源とを備え、前記導光体は、延在方向に対して直角方向に相互に対向する第１及び第２側面部を有し、前記第２側面部には、内方へくぼむ凹部又は外方へ突出する凸部が分布して形成されており、前記凹部又は前記凸部は、前記第１光源側の端からの入射光に対して前記第１側面部から所定の閾値未満の出射角で出射する反射面を有する第１群の凹部又は凸部と、前記第２光源側の端からの入射光に対して前記第１側面部から前記閾値未満の出射角で出射する反射面を有する第２群の凹部又は凸部とに群分けされ、第２側面部は第１及び第２領域に区分けされ、該第１領域には前記第１群の凹部又は凸部が分布し、該第２領域には前記第２群の凹部又は凸部が分布していることを特徴とする。
【００１０】
第１発明によれば、第１光源側の端から導光体内を進行して来る光を適切な方向に反射する反射面を有する第１群の凹部又は凸部と、第２光源側の端から導光体内を進行して来る光を適切な方向に反射する反射面を有する第２群の凹部又は凸部とが、それぞれ第２側面部の第１及び第２領域に分布しているので、ライン照明装置からの出射光は、第１及び第２領域に対応する第１側面部の領域から集中的に出射される。この結果、ライン状に延在する導光体内へどちらの端から供給した光に対しても、導光体を有効に発光することができる。
【００１１】
第２発明のライン照明装置は、第１発明において、前記第１及び前記第２領域は、前記延在方向にそれぞれ前記導光体の前記第１及び前記第２光源側に配置されていることを特徴とする。
【００１２】
第２発明によれば、第１及び第２光源からの光に対してそれぞれ導光体の第１及び第２光源側の部分を発光させることができる。
【００１３】
第３発明のライン照明装置は、第１発明において、前記第１及び前記第２領域は、前記導光体の幅方向の一方の側及び他方の側に配置されていることを特徴とする。
【００１４】
第３発明によれば、第１及び第２光源からの光のいずれに対しても導光体をその延在方向全体にわたり発光させることができる。
【００１５】
第４発明のライン照明装置は、第１発明において、前記第１及び前記第２群の凹部又は凸部の分布領域は、前記導光体の延在方向に交互に配置されていることを特徴とする。
【００１６】
第４発明によれば、第１及び第２光源からの光に対して導光体の延在方向に発光部と非発光部とが交互になる態様で導光体を発光させることができる。
【００１７】
第５発明のライン照明装置は、第１発明〜第４発明のいずれかの１つの発明において、前記第１群の凹部又は凸部は、前記第２光源側の端から前記導光体内を全反射により進行してくる入射光に対して前記第１側面部において前記第１光源の方へ全反射するように、反射させる別の反射面を有し、前記第２群の凹部又は凸部は、前記第１光源側の端から前記導光体内を全反射により進行してくる入射光に対して前記第１側面部において前記第２光源の方へ全反射するように、反射させる別の反射面を有することを特徴とする。
【００１８】
第５発明によれば、第１光源側の端から導光体内を進行して来る光は、第２領域において第２群の凹部又は凸部における別の反射面により、第１側面部において第２光源の方へ全反射するように、反射させられ、また、第２光源側の端から導光体内を進行して来る光は、第１領域において第１群の凹部又は凸部における別の反射面では、第１側面部において第１光源の方へ全反射するように、反射させられる。これにより、第１及び第２光源の光は、それぞれ第２及び第１領域における凹部又は凸部に阻害されることなく、第２及び第１領域を通過することができ、そして、それぞれ第１及び第２領域における第１及び第２群の凹部又は凸部の反射面によって、第１側面部における有効な発光となる向きで反射される。
【図面の簡単な説明】
【００１９】
【図１】（ａ）及び（ｂ）は、それぞれ円環型及び直線型の照明装置の正面図。
【図２】（ａ）及び（ｂ）は、第１凹部をそれぞれ導光体の内と外から見た拡大斜視図。
【図３】導光体を延在方向に対して直角に切ったときの種々の断面図。
【図４】（ａ）及び（ｂ）は、それぞれ凹部型導光体及び凸部型導光体を、延在方向に沿って切ったときの断面図。
【図５】光源から導光体への供給光の導光体における進路及び光軸を示す図。
【図６】（ａ）は第１凹部の各種諸元と共に断面線を示す図、（ｂ）は（ａ）の各断面線に沿う断面図。
【図７】（ａ）は第１凹部に対する入射光の向きを示す図、（ｂ）は、第１凹部に対する光の入射及び反射を第１凹部の側方から見た図。
【図８】（ａ）は図７の各光線の各諸元の値を示す図表、（ｂ）は（ａ）の項目についての定義説明図。
【図９】導光体における第１凹部及び第２凹部の各種配置パターンを示す図。
【図１０】ライン型照明装置の種々の構造図。
【図１１】第１凹部の種々の構造図。
【発明を実施するための形態】
【００２０】
図１において、（ａ）は円環型照明装置１の正面図であり、（ｂ）は直線型照明装置７の正面図である。（ａ）及び（ｂ）において共通要素については同一の符号を使用している。
【００２１】
図１（ａ）において、円環型照明装置１は、ほぼ円環状に延在する導光体２と、導光体２の円環の切欠き範囲において導光体２の各端に取付けられた光源３，４とを有している。導光体２は、例えばアクリル等の透明樹脂材料から製作される。
【００２２】
光源３，４の光は、導光体２の両端から導光体２内へ相互に逆方向に入射され、導光体２内をそれぞれ相互に逆方向の第１方向（矢印５で示す）及び第２方向（矢印６で示す）に進行する。光源３，４の出力光は、異なる色（例：赤と青）であっても同一色（例：白）であってもよい。
【００２３】
円環型照明装置１は、その中心軸線方向の一方及び他方の側をそれぞれ表側（正面側）及び裏面側（背面側）に設定されている。導光体２は、円環型照明装置１の表側が出射側面部２１とされ、裏側が反射側面部２２とされる（図３（ａ））。
【００２４】
第１凹部１０及び第２凹部１１は、導光体２の反射側面部２２に形成され、導光体２の延在方向に分布している。図１（ａ）の円環型照明装置１では、導光体２の延在方向に、第１凹部１０は導光体２の光源３側の半円弧部にのみ分布し、第２凹部１１は導光体２の光源４側の半円弧部にのみ分布している。
【００２５】
図１（ｂ）において、直線型照明装置７は、直線状に延在する導光体８と、導光体８の両端に取付けられた光源３，４とを有している。直線型照明装置７は、導光体２と同様にアクリル製である。
【００２６】
導光体８も、直線型照明装置７の表側（図１（ｂ）で見えている側）及び裏側（図１（ｂ）で隠れている側）をそれぞれ出射面側及び反射面側としており、第１凹部１０及び第２凹部１１は、導光体８の反射面側に形成されている。この直線型照明装置７では、第１凹部１０は、導光体８の延在方向に光源３側の半部にのみ分布し、第２凹部１１は、導光体８の延在方向に光源４側の半部にのみ分布している。
【００２７】
図１（ａ）の円環型照明装置１における第１凹部１０及び第２凹部１１の分布密度、及び図１（ｂ）の直線型照明装置７における第１凹部１０及び第２凹部１１の分布密度は、共に、その分布領域においてそれぞれ光源３，４の端から遠ざかるほど増大している。その理由は後述する。
【００２８】
円環型照明装置１及び直線型照明装置７は、本発明のライン照明装置に相当する。導光体２，８は、本発明のライン状に延在する導光体に相当する。出射側面部及び反射側面部は、それぞれ本発明の第１及び第２側面部に相当する。光源３，４は、それぞれ本発明の第１及び第２光源に相当する。第１凹部１０は本発明の第１群の凹部に相当し、第２凹部１１は本発明の第２群の凹部に相当する。第１凹部１０が分布している光源３側の半円弧部若しくは半部は本発明の第１領域に相当し、第２凹部１１が分布している光源４側の半円弧部若しくは半部は本発明の第２領域に相当する。
【００２９】
図２（ａ）及び（ｂ）は、第１凹部１０をそれぞれ導光体２の内と外から見た拡大斜視図である。Ｌ３は、光源３からの光が導光体２内を進行して来る方向を示している。第１凹部１０及び第２凹部１１は、導光体２の延在方向の向きが逆になるのみで、構造、形状及び寸法は同一であるので、図２〜図４では、第１凹部１０のみについて説明する。
【００３０】
第１凹部１０は、導光体２の内方へくぼむように、成形用金型の表面にエッチング等の加工処理を行い形成される。第１凹部１０の内側は空洞であり、第１凹部１０は、一般的に二等辺三角錐台又は正三角錐台の形状とされ、ここでは、二等辺三角錐台の形状として説明する（詳細は図６で後述）。第１凹部１０は、底面側は開口し、側面としてＰ面１４、Ｒ面１５及びＱ面１６を有し、頂面としてＳ面１７を有している。この凹部１０において、Ｐ面１４、Ｒ面１５及びＱ面１６は台形であり、Ｓ面１７は二等辺三角形である。Ｓ面１７は、導光体２内での第１凹部１０の高さを制限するために、形成されている。稜線１８はＲ面１５とＱ面１６との境界線となっている。Ｒ面１５及びＱ面１６は合同であり、Ｐ面１４とＳ面１７との境界の稜線はＳ面１７の底辺に相当する。
【００３１】
第１凹部１０は、Ｐ面１４及び稜線１８が導光体２の延在方向にそれぞれ光源３側及び光源４側へ向くように、導光体２内に形成される。これに対し、第２凹部１１は、Ｐ面１４及び稜線１８が導光体２の延在方向にそれぞれ光源４側及び光源３側へ向くように、導光体２内に形成される。
【００３２】
図３は、導光体を第１凹部１０の分布領域において導光体の延在方向に対して直角の平面で切ったときの断面（以下、「横断面」という。）を示している。（ａ）は、図１（ａ）のＸ３−Ｘ３矢視の導光体２の横断面図となる。（ｂ）は、別の導光体２ｂの横断面図である。なお、（ａ）及び（ｂ）共に光源３側から光源４側に向かって見た横断面となっている。したがって、第１凹部１０のＲ面１５及びＱ面１６はそれぞれ左側及び右側になっている。
【００３３】
図３（ｂ）の導光体２ｂも、導光体２と同様に、円環状に延在していると想定すると、図３（ａ）及び（ｂ）共に左右方向が導光体２の円環形状（図１（ａ）参照）の半径方向に対応し、左側が導光体２，２ｂの円環形状の半径方向外側、右側が導光体２，２ｂの円環形状の半径方向内側（中心側）に相当する。図３において上側及び下側が円環型照明装置１の正面側及び背面側に対応する。
【００３４】
導光体２，２ｂの横断面の形状は、それぞれ正方形及び円形であるが、これはあくまで実施例であり、他の形状であってもよい。
【００３５】
図３（ａ）において、導光体２は、正面側の出射側面部２１、背面側の反射側面部２２、外周側面部２３及び内周側面部２４を有する。図３（ｂ）において、二分割線２７は、説明の便宜上、図示したものであり、導光体２ｂの円形横断面を導光体２ｂの正面側と背面側とに二分する直線として図示している。出射側面部２８は二分割線２７に対して正面側に形成され、反射側面部２９は二分割線２７に対して裏面側に形成される。第１凹部１０は、反射側面部２２，２９に設けられる。
【００３６】
図４（ａ）及び（ｂ）は、導光体２，２ｃをその延在方向に切ったときの断面図である。導光体２ｃは、導光体２の第１凹部１０及び第２凹部１１に代えて第１凸部３０及び第２凹部３１を有する。導光体２ｃにおいて、導光体２の部位と同一の部位については、導光体２の部位の符号をそのまま使用して、説明は省略する。図４において左側が光源３側、右側が光源４側になっている。
【００３７】
図４（ａ）の導光体２において、第１凹部１０は、Ｐ面１４及び稜線１８がそれぞれ光源３側及び光源４側となるように、反射側面部２２に形成されている。また、第２凹部１１は、Ｐ面１４及び稜線１８がそれぞれ光源４側及び光源３側となるように、反射側面部２２に形成されている。
【００３８】
図４（ｂ）において、導光体２ｃは、導光体２の第１凹部１０及び第２凹部１１の代わりに、第１凸部３０及び第２凸部３１を反射側面部２２に外方へ突出して形成されている。第１凹部１０と第２凹部１１と第１凸部３０及び第２凸部３１とは、凹部であるか凸部であるかが相異するのみであり、形状自体はすべて合同である。第１凸部３０及び第２凸部３１は、反射側面部２２から隆起している。
【００３９】
図４（ｂ）では、第１凸部３０及び第２凸部３１のＰ面３４、Ｓ面３７及び稜線３８は、第１凹部１０及び第２凹部１１のＰ面１４、Ｓ面１７及び稜線１８に相当する部位である。第１凸部３０及び第２凸部３１のＱ面及びＲ面は図示が省略されているが、第１凸部３０及び第２凸部３１は、第１凹部１０及び第２凹部１１のＱ面１６及びＲ面１５に対応するＱ面及びＲ面を有している。
【００４０】
第１凸部３０は、Ｐ面３４及び稜線３８がそれぞれ光源４側及び光源３側となるように、反射側面部２２に形成されている。また、第２凸部３１は、Ｐ面３４及び稜線３８をそれぞれ光源３側及び光源４側となるように、反射側面部２２に形成されている。
【００４１】
図４の導光体２，２ｃにおいて、導光体２，２ｃ内を延在方向に光源３側から光源４側へ進行して来る光は、第１凹部１０のＰ面１４又は第１凸部３０のＰ面３４に当たって、出射側面部２１の方へ反射され、また、導光体２，２ｃ内を延在方向に光源４側から光源３側へ進行して来る光は、第２凹部１１のＰ面１４又は第２凸部３１のＰ面に３４に当たって、出射側面部２１の方へ反射される。
【００４２】
なお、第１凹部１０、第２凹部１１、第１凸部３０及び第２凸部３１の全反射を完全にするために、それらの表面に金属膜を被覆することもできる。
【００４３】
図５は、図１（ａ）の円環型照明装置１から光源４を外すとともに、さらに、第１凹部１０及び第２凹部１１を形成しない導光体２を想定して、光源３から導光体２内へ光を入射したときに該光が導光体２内において進行する状況を示している。光源３から導光体２へ供給された光は、導光体２内を導光体２の横断面の方向に広がり、第１凹部１０に当たらなければ、導光体２の内周側又は外周側に到達し、そこで、全反射して、次は外周側又は内周側に向かう。光軸４０は、導光体２の横断面の中心を導光体２の延在方向に連ねた中心線に一致し、光源３から導光体２内へ供給された光の光軸を意味する。なお、導光体２の横断面の形状及び寸法は、導光体２の延在方向に等しくされている。
【００４４】
図６は、第１凹部１０の各諸元と共に各部位の断面図を示している。図６において、Ｐ面１４、Ｒ面１５、Ｑ面１６及びＳ面１７は、それぞれＰ，Ｑ，Ｒ，Ｓと簡略化して示している。第１凹部１０は二等辺三角錐台を想定しているので、底面は二等辺三角形になる。図６（ａ）は、二等辺三角錐台としての第１凹部１０を底面に対して直角方向にＳ面１７側から見た図である。
【００４５】
第１凹部１０の二等辺三角形の底面において、ρは頂角、σ１，σ２は対角である。例えば、ρ＝４０°、σ１＝σ２＝７０°である。該平面図において次のように定義される。
【００４６】
図６（ｂ）は、図６（ａ）のI−I，II−II，III−IIIの矢視断面図である。I−I線，II−II線，III−III線は図６（ａ）において第１凹部１０の底面の各辺に対して直角となっている。各矢視断面において、β，α１，α２，α３，γ１，γ２が定義される。
【００４７】
図７は、各光線が各向きで第１凹部１０の各面に入射したときの進行方向を示している。図７及び図８において、Ｐ面１４、Ｒ面１５及びＱ面１６を符号を省略して単にＰ面，Ｒ面，Ｑ面と呼ぶことにする。
【００４８】
図７において、ｘ軸はＰ面の底辺に対して平行であり、ｙ軸は二等辺三角形のＳ面の垂直二等分線に対して平行であり、ｚ軸はＳ面に対して直角であり、ｘ軸、ｙ軸及びｚ軸は原点ｏ（図示せず）で交差する。
【００４９】
図７（ａ）は、図６（ａ）と同一の平面図に各光線の入射向きを示している。図７（ｂ）は図７（ａ）のIV−IV矢視断面図である。
【００５０】
光線ａ（１）〜ａ（３）は、導光体２内を光源３側から進行して来て、Ｐ面に入射することを想定している。光線ｂ（１）〜ｂ（４）は、導光体２内を光源４側から第１凹部１０の所へ進行して来て、光線ｂ（１），ｂ（２）はＲ面に入射し、光線ｂ（３），ｂ（４）はＱ面に入射する。
【００５１】
図７（ａ）において、光線ａ（２），ｂ（２），ｂ（３）は、ｙ軸に対して平行に第１凹部１０に入射する。図７（ｂ）において、光線ａ（２）は出射側面部２１が出射角０°で出射し、光線ａ（１），ａ（３），ｂ（１），ｂ（４）は、０°より大きい出射角で出射側面部２１から出射し、光線ｂ（２），ｂ（３）は、出射側面部２１において全反射する。図７（ｂ）においてαは図６（ｂ）のα１とはα＝α１の関係がある。
【００５２】
図８（ａ）は図７で定義した各光線について第１凹部１０に対する反射状態を示している。なお、光線ａ（１）〜ｂ（４）は、図８（ａ）の図表の項目では、光軸ａ（１）〜ｂ（４）と記載されている。図８（ｂ）は図８（ａ）に項目として記載されているベクトル及び角度ズレ等についての説明図である。図８では、導光体２の材料のアクリルの屈折率は１．４９、空気の屈折率は１として計算している。したがって、出射側面部２１における全反射の入射角は４２．２°となる。
【００５３】
図８（ａ）において、各光線ａ（１）〜ｂ（４）の光軸の角度は、ｚ軸周りの反時計方向を正とする角度であり、ｘ軸の正方向に向いたとき、０°となるものである。反射面とは、各光線が第１凹部１０において入射して反射する面を意味する。角度α，ρは、それぞれ図７（ｂ）のα及び図６（ａ）のρを意味する。
【００５４】
各ベクトル（ｉ），（Ｎ），（ｊ）は、長さ１とし、原点ｏを起点として、先端点の座標により向きを示している。光軸ベクトル（ｉ）は、各反射面における各光線の入射ベクトルを意味し、反射面の法線ベクトル（Ｎ）はＰ面、Ｑ面及びＲ面における法線ベクトルを意味し、反射光ベクトル（ｊ）は、各反射面における各光線の反射ベクトルを意味する。
【００５５】
出射基準方向（Ｂ）は、図８（ｂ）に示すように、出射側面部２１の法線を意味し、ここでは、ｚ軸に対して平行となっている。角度ズレは、出射基準方向（Ｂ）に対する反射光ベクトル（ｊ）の傾斜角度を意味する。出射角は、出射基準方向（Ｂ）に対する出射光の傾斜角度を意味する。
【００５６】
光源３側からＰ面に入射する光線ａの内、対応の出射光が出射側面部２１から出射角３０°以内で出射する光線ａの光軸の向きは、ｚ軸周りの角度が７０〜１１０°の範囲となり、光線ａ（２），ａ（３）は該範囲外である。円環型照明装置１では、光源３から導光体２内を進行して来る光線ａは、第１凹部１０に当たらない限り、図５で前述したように、光線が導光体２内を全反射で進行するｚ軸周りの角度として７０〜１１０°の範囲内を維持し、第１凹部１０に当たったときは、出射側面部２１から出射角３０°以内で出射する。
【００５７】
光源４側からＱ面又はＲ面に入射する光線ｂの内、対応の出射光が出射側面部２１から出射角３０°以内で出射する光線ｂの光軸の向きは、１８０〜２２０°及び３２０〜３６０°の範囲となり、光線ｂ（１），ｂ（４）は該範囲外である。光線ｂの内、図３（ａ）における正方形横断面の導光体２の外周側面部２３若しくは内周側面部２４、又は図３（ｂ）における円形横断面の導光体２の内周側若しくは外周側を全反射して来る光線ｂの光軸の向きは、２２８°（＝２７０°−４２°）〜３１２°（＝２７０°＋４２°）の範囲となる。なお、４２°（厳密には後述の図８（ａ）右上端部に記載されている４２．２°）は屈折率１．４９に対応する全反射角である。
【００５８】
円環型照明装置１では、光源４から導光体２内を進行して来る光線ｂの光軸の向きは、ｚ軸周りの角度が２２８〜３１２°の範囲内を維持するので、第１凹部１０に当たっても、出射側面部２１から出射角３０°以内で出射することはなく、また、当たらなければ、図５で前述したように、導光体２内を全反射状態で進行する。なお、出射角３０°は、本発明において「第１側面部から閾値未満の出射角で出射する」の閾値に相当する。
【００５９】
この結果、第１凹部１０は、光源３の方からの入射光のみを出射側面部２１，２８から出射し、第２凹部１１は、光源４の方からの入射光のみを出射側面部２１，２８から出射することになる。
【００６０】
図１（ａ）の導光体２の全体の作用について述べる。他の導光体８（図１（ｂ）），２ｂ（図３（ｂ）），２ｃ（図４（ｂ））についての作用の説明は省略するが、光源３，４からの入射光に対するＰ面、Ｒ面及びＱ面に対する反射方向は、第１凹部同士及び第２凹部同士は同一であるとともに、第１凸部は第１凹部と同一であり、第２凸部は第２凹部と同一である。ただし、出射側面部の発光部は、入射側面部における第１凹部、第２凹部、第１凸部及び第２凸部の配置領域の対応した領域となる。
【００６１】
なお、光源３，４は同時に点灯状態になっても、光源３，４の一方が点灯しているときは、他方は消灯しているように、点灯制御されてもよい。
【００６２】
光源３が点灯状態あるときは、光源３からの各光線ａは、導光体２内を光軸４０（図５）に沿って進行する。光線ａは、第１凹部１０に到達すると、第１凹部１０のＰ面１４により反射されて、向きを出射側面部２１の方へ変更し、出射側面部２１から出射角３０°以内で出射する。これにより、導光体２内を光源４の方へ進む光線ａの量は、光源３から遠ざかるに連れて減少し、導光体２の長さの半分の箇所、すなわち第１凹部１０がなくなる箇所において０になる。この結果、導光体２において、出射側面部２１の内、第１凹部１０が分布している光源３側の半円弧部が発光する。
【００６３】
光源４が点灯状態あるときは、光源４からの各光線ｂは導光体２内を光軸４０とは反対向きの光軸に沿って進行する。光線ｂは、第２凹部１１に到達すると、第２凹部１１のＰ面１４により反射されて、向きを出射側面部２１の方へ変更し、出射側面部２１から出射角３０°以内で出射する。これにより、導光体２内を光源４の方へ進む光線ｂの量は、光源３から遠ざかるに連れて減少し、導光体２の長さの半分の箇所、すなわち第２凹部１１がなくなる箇所において０になる。この結果、導光体２において、出射側面部２１の内、第２凹部１１が分布している光源４側の半円弧部が発光する。
【００６４】
なお、第１凹部１０及び第２凹部１１の分布密度は、共に、その分布領域において導光体２の延在方向にそれぞれ光源３，４の端から遠ざかるほど増大している。理由は、光源３，４から導光体２，８内を進行してくる光は、進行に伴い、途中の第１凹部１０及び第２凹部１１に当たって徐々に第１側面部２１（図３）から出射されていき、光源３，４から遠くなるに連れて、第１凹部１０及び第２凹部１１に当たる光が弱くなるので、これを補って、第１側面部２１の発光強度を延在方向に関係なく均一にするためである。
【００６５】
光源３，４の光が色違いの場合は、光源３，４が同時に点灯すると、出射側面部２１の内、光源３側及び光源４側の半円弧部が色違いで発光する。光源３，４の光が同一色である場合は、光源３，４が同時に点灯すると、出射側面部２１全体が同一色で発光する。
【００６６】
図９は、円環型照明装置１ｄ及び直線型照明装置７ｂにおける第１凹部１０及び第２凹部１１の配置パターンを示している。図９（ａ）の円環型照明装置１ｄの導光体２ｄにおける第１凹部１０及び第２凹部１１の配置パターンでは、円環の導光体２ｄが内外周に二分され、第１凹部１０及び第２凹部１１の配置領域は、共に導光体２ｄの全長にわたっているが、それぞれ反射側面部２２（図３）の外周側（本発明の「幅方向一方の側」に相当）及び内周側（本発明の「幅方向他方の側」に相当）に設定される。この結果、光源３の点灯中は、出射側面部２１の外周側が導光体２ｄの全長にわたり発光し、光源４の点灯中は出射側面部２１の内周側が導光体２ｄの全長にわたり発光する。
【００６７】
図９（ｂ）の直線型照明装置７ｂの直線状の導光体８ｂにおける第１凹部１０及び第２凹部１１の配置パターンでは、導光体８ｂが延在方向に４つの区分に等分割され、第１凹部１０及び第２凹部１１の配置領域は、延在方向に交互の配置となるように、対応区分に設定される。この結果、光源３の点灯中及び光源４の点灯中共に出射側面部２１は、延在方向に発光区分と非発光区分とが交互に並ぶ。
【００６８】
図９（ａ）及び（ｂ）共に、第１凹部１０については、導光体２ｄ，８ｂの延在方向に光源３から遠ざかり光源４の方へ近付く位置ほど分布密度が増大し、第２凹部１１については、導光体２，８の延在方向に光源４から遠ざかり光源３の方へ近付く位置ほど分布密度が増大している。理由は、図１の円環型照明装置１及び直線型照明装置７の場合と同一である。
【００６９】
図１０はライン型照明装置の各種構造形態を示している。図１０において、上側は各ライン型照明装置の正面図、下側は光源３，４が見える側から見た照明装置の側面図である。図１０において、光源は、円環型照明装置１が装備する光源３，４と同一のものであるので、同一の符号３，４を付けるとともに、説明は省略する。
【００７０】
図１０（ａ）の円環型照明装置１ｅでは、導光体２ｅが、周回部の両端部においてさらに、接線方向に所定量延長され、その突出延長部の端に光源３，４が取り付けられている。
【００７１】
図１０（ｂ）の円環型照明装置１ｆでは、導光体２ｆは、導光体２（図１（ａ））とほぼ同一の中心角、延在しているが、両端部は、背面側に屈曲した屈曲端部６４，６５となっている。光源３，４はそれぞれ正面向きにされて屈曲端部６４，６５の端部に取り付けられている。屈曲端部６４，６５の導光体２ｆ側の結合部には、光源３，４からの光を導光体２ｆの円環部の方へ反射する反射部が設けられている。
【００７２】
図１０（ｃ）の曲線型照明装置６７では、導光体６８は、曲線状に曲がりながら延在している。光源３，４は導光体６８の各端に取り付けられている。
【００７３】
図１１は第１凹部の各種変形例を示している。図１１（ａ）の第１凹部１０ｂは、二等辺三角錐台形状ではなく、二等辺三角錐となっている。Ｐ面８１、Ｒ面８２及びＱ面８３は、第１凹部１０（図２）のＰ面１４、Ｒ面１５及びＱ面１６に対応している。
【００７４】
図１１（ｂ）の第１凹部１０ｃでは、図２の第１凹部１０の平面のＰ面１４が凹側湾曲面のＰ面８７に置き換えられている。Ｐ面８７は、第１凹部１０ｃの空洞側から見て凹面になっている。第１凹部１０ｃのＰ面８７、Ｒ面８８、Ｑ面８９及びＳ面９０は第１凹部１０（図２）のＰ面１４、Ｒ面１５、Ｑ面１６及びＳ面１７に対応している。
【００７５】
図１１（ｃ）の第１凹部１０ｄでは、図２の第１凹部１０のＰ面１４が凸型湾曲面のＰ面９３に置き換えられている。Ｐ面９３は、第１凹部１０ｄの空洞側から見て凸面になっている。第１凹部１０ｄのＰ面９３、Ｒ面９４、Ｑ面９５及びＳ面９６は、第１凹部１０のＰ面１４、Ｒ面１５、Ｑ面１６及びＳ面１７に対応している。
【００７６】
本発明は、実施形態に限定されることなく、要旨の範囲内で種々に変形して実施することができる。例えば導光体は、二次元内でライン（直線及び曲線を含む。）状に延在するだけでなく、三次元内でライン状に延在するものであってもよい。
【符号の説明】
【００７７】
１，１ｂ〜１ｆ・・・円環型照明装置（ライン照明装置）、２，２ｂ〜２ｆ，６８・・・導光体、３・・・光源（第１光源）、４・・・光源（第２光源）、７，７ｂ・・・直線型照明装置（ライン照明装置）、１０，１０ｂ〜１０ｄ・・・第１凹部（第１群の凹部）、１１・・・第２凹部（第２群の凹部）、１４，８１，８７，９３・・・Ｐ面（反射面）、１５，８２，８８，９４・・・Ｒ面（別の反射面）、１６，８３，８９，９５・・・Ｑ面（別の反射面）、３０・・・第１凸部（第１群の凸部）、３１・・・第２凸部（第２群の凸部）、６７・・・曲線型照明装置（ライン照明装置）。
【図４】
2014026744.tif 000003
【図５】
2014026744.tif 000004
【図６】
2014026744.tif 000005
【図８】
2014026744.tif 000006
【図１１】
2014026744.tif 000007
【図１】
2014026744.tif 000008
【図２】
2014026744.tif 000009
【図３】
2014026744.tif 000010
【図７】
2014026744.tif 000011
【図９】
2014026744.tif 000012
【図１０】
2014026744.tif 000013